(57)【特許請求の範囲】
【請求項１】
操作の入力を検出する入力部と、
待受画面を表示する表示部と、
前記待受画面上に表示されるオブジェクトであってショートカット情報と文字情報との少なくとも一方が対応付けられた複数のオブジェクトと、前記複数のオブジェクトを分類するためのグループの情報と、を対応付けて記憶する記憶部と、
前記待受画面上に前記グループ別に分割されることで構成される複数の分割領域を設定し、各オブジェクトが属するグループに対応した前記分割領域に前記複数のオブジェクトのそれぞれを表示させる制御部と、を備え、
前記記憶部は、前記分割領域それぞれに時間枠を対応付けて記憶し、
前記制御部は、時刻情報を取得し、取得した時刻情報が含まれる前記時間枠の分割領域を他の時間枠の分割領域よりも大きく表示させることを特徴とする携帯端末装置。
【請求項２】
前記制御部は、前記待受画面を前記表示部に表示させる際に、
前記複数のオブジェクトのそれぞれの表示サイズを前記グループ毎に変えることと、前記分割領域の大きさの比率を領域毎に変えることと、の少なくとも一方を実行することを特徴とする請求項１に記載の携帯端末装置。
【請求項３】
前記記憶部は、前記グループに時間枠を対応付けて記憶し、
前記制御部は、時刻情報を取得し、取得した時刻情報が含まれる前記時間枠に対応付けられた前記グループに属する前記オブジェクトを他のグループに属する前記オブジェクトよりも大きく表示させることを特徴とする請求項１または請求項２に記載の携帯端末装置。
【請求項４】
前記記憶部は、前記時間枠として、朝の時間枠と、昼の時間枠と、夜の時間枠とのうちの少なくとも２つを記憶することを特徴とする請求項１から請求項３のいずれか一項に記載の携帯端末装置。
【請求項５】
前記記憶部は、前記オブジェクト毎に時間枠情報を記憶しており、
前記制御部は、前記オブジェクトの前記時間枠情報に基づいて、前記オブジェクトが対応付けられるグループを決定することを特徴とする請求項１から請求項４のいずれか一項に記載の携帯端末装置。
【請求項６】
前記制御部は、前記表示部に待受画面を表示させる毎に、前記時刻情報を取得することを特徴とする請求項１から請求項５のいずれか一項に記載の携帯端末装置。
【請求項７】
前記制御部は、前記入力部に入力された操作に基づいて、前記時間枠を設定し、設定した前記時間枠を前記記憶部に記憶させることを特徴とする請求項１から請求項６のいずれか一項に記載の携帯端末装置。
【請求項８】
前記記憶部は、前記オブジェクトとして前記文字情報とアイコン画像とを含んで記憶し、
前記制御部は、
前記オブジェクトの表示サイズを他のグループに属するオブジェクトの表示サイズよりも大きくする場合、前記アイコン画像と、前記文字情報の少なくとも一部を表すテキスト画像と、の両方を前記表示部に表示させ、
前記オブジェクトの表示サイズを他のグループに属するオブジェクトの表示サイズよりも小さくする場合、前記アイコン画像のみを前記表示部に表示させることを特徴とする請求項１から請求項７のいずれか一項に記載の携帯端末装置。
【請求項９】
前記制御部は、前記入力部に入力された操作に基づいて、前記表示部に表示された前記オブジェクトのうち選択されたオブジェクトを示すカーソルキーを移動させ、
前記選択されたオブジェクトを含んでいる前記分割領域を、他の分割領域よりも大きく表示させることを特徴とする請求項１から請求項８のいずれか一項に記載の携帯端末装置。
【請求項１０】
前記入力部は、数値を入力するための数値入力部を含み、
前記制御部は、前記表示部が前記待受画面を表示している間に前記数値入力部が操作されたことを検出したら、前記表示部に表示させる画面を前記待受画面から入力された数値を表示させる画面に切り替えることを特徴とする請求項１から請求項９のいずれか一項に記載の携帯端末装置。
【請求項１１】
通信部をさらに有し、
前記制御部は、前記数値を表示させる画面として、前記数値入力部に入力された数値を電話番号として表示させ、発信操作が入力されたら、前記通信部により入力された電話番号に対する発信処理を行うことを特徴とする請求項１０に記載の携帯端末装置。
【請求項１２】
前記入力部は、所定の機能を呼び出す機能呼出部を含み、
前記制御部は、前記表示部が前記待受画面を表示している間に前記機能呼出部が操作されると、前記表示部に表示させる画面を前記待受画面から前記機能呼出部に対応付けされた機能の画面に切り替えることを特徴とする請求項１から請求項１１のいずれか一項に記載の携帯端末装置。
【発明の詳細な説明】
【技術分野】
【０００１】
本発明は、待受画面を表示可能な表示部を備えた携帯端末装置に関する。
【背景技術】
【０００２】
数ある携帯端末装置の中には、表示部を備えるものがある。このような携帯端末装置として、例えば、特許文献１には、ユーザーの操作によって登録された貼り付けメモを、携帯電話機の表示部の待受画面上に表示できる通信装置が開示されている。
【先行技術文献】
【特許文献】
【０００３】
【特許文献１】特開２００５−１１００５９号公報
【発明の概要】
【発明が解決しようとする課題】
【０００４】
待受画面に見やすく表示できる貼り付けメモの数には限りがある。この数を越えた数の貼り付けメモが登録されると、特許文献１の通信装置は、待受画面が見にくくなるおそれが考えられる。
【０００５】
本発明は、上記に鑑みてなされたものであって、待受画面上に見やすくメモなどのオブジェクトを表示できる携帯端末装置を提供することを目的とする。
【課題を解決するための手段】
【０００６】
上述した課題を解決し、目的を達成するために、本発明に係る携帯端末装置は、操作の入力を検出する入力部と、待受画面を表示する表示部と、前記待受画面上に表示されるオブジェクトであってショートカット情報と文字情報との少なくとも一方が対応付けられた複数のオブジェクトと、前記複数のオブジェクトを分類するためのグループの情報と、を対応付けて記憶する記憶部と、前記待受画面上に前記グループ別に分割されることで構成される複数の分割領域を設定し、各オブジェクトが属するグループに対応した前記分割領域に前記複数のオブジェクトのそれぞれを表示させる制御部と、を備えることを特徴とする。
【０００７】
また、前記制御部は、前記待受画面を前記表示部に表示させる際に、前記複数のオブジェクトのそれぞれの表示サイズを前記グループ毎に変えることと、前記分割領域の大きさの比率を領域毎に変えることと、の少なくとも一方を実行してもよい。
【０００８】
また、前記記憶部は、前記分割領域それぞれに時間枠を対応付けて記憶し、前記制御部は、時刻情報を取得し、取得した時刻情報が含まれる前記時間枠の分割領域を他の時間枠の分割領域よりも大きく表示させてもよい。
【０００９】
また、前記記憶部は、前記グループに時間枠を対応付けて記憶し、前記制御部は、時刻情報を取得し、取得した時刻情報が含まれる前記時間枠に対応付けられた前記グループに属する前記オブジェクトを他のグループに属する前記オブジェクトよりも大きく表示させてもよい。
【００１０】
また、前記記憶部は、前記時間枠として、朝の時間枠と、昼の時間枠と、夜の時間枠とのうちの少なくとも２つを記憶してもよい。
【００１１】
また、前記記憶部は、前記オブジェクト毎に時間枠情報を記憶しており、前記制御部は、前記オブジェクトの前記時間枠情報に基づいて、前記オブジェクトが対応付けられるグループを決定してもよい。
【００１２】
また、前記制御部は、前記表示部に待受画面を表示させる毎に、前記時刻情報を取得してもよい。
【００１３】
また、前記制御部は、前記入力部に入力された操作に基づいて、前記時間枠を設定し、設定した前記時間枠を前記記憶部に記憶させてもよい。
【００１４】
また、前記記憶部は、前記オブジェクトとして前記文字情報とアイコン画像とを含んで記憶し、前記制御部は、前記オブジェクトの表示サイズを他のグループに属するオブジェクトの表示サイズよりも大きくする場合、前記アイコン画像と、前記文字情報の少なくとも一部を表すテキスト画像と、の両方を前記表示部に表示させ、前記オブジェクトの表示サイズを他のグループに属するオブジェクトの表示サイズよりも小さくする場合、前記アイコン画像のみを前記表示部に表示させてもよい。
【００１５】
また、前記制御部は、前記入力部に入力された操作に基づいて、前記表示部に表示された前記オブジェクトのうち選択されたオブジェクトを示すカーソルキーを移動させ、前記選択されたオブジェクトを含んでいる前記分割領域を、他の分割領域よりも大きく表示させてもよい。
【００１６】
また、前記入力部は、数値を入力するための数値入力部を含み、前記制御部は、前記表示部が前記待受画面を表示している間に前記数値入力部が操作されたことを検出したら、前記表示部に表示させる画面を前記待受画面から入力された数値を表示させる画面に切り替えてもよい。
【００１７】
また、本発明に係る携帯端末装置は、通信部をさらに有し、前記制御部は、前記数値を表示させる画面として、前記数値入力部に入力された数値を電話番号として表示させ、発信操作が入力されたら、前記通信部により入力された電話番号に対する発信処理を行ってもよい。
【００１８】
また、前記入力部は、所定の機能を呼び出す機能呼出部を含み、前記制御部は、前記表示部が前記待受画面を表示している間に前記機能呼出部が操作されると、前記表示部に表示させる画面を前記待受画面から前記機能呼出部に対応付けされた機能の画面に切り替えてもよい。
【発明の効果】
【００１９】
本発明に係る携帯端末装置は、待受画面上に見やすくメモなどのオブジェクト画像を表示できる。
【図面の簡単な説明】
【００２０】
【図１】図１は、携帯電話機の外観を示す斜視図である。
【図２】図２は、制御部が有する機能を示すブロック図である。
【図３】図３は、待受画面を示す説明図である。
【図４】図４は、オブジェクトの登録時に制御部が実行する一連の手順を示すフローチャートである。
【図５−１】図５−１は、オブジェクトが登録される際に表示部が表示している画面を示す説明図である。
【図５−２】図５−２は、質問画像を表示する表示部を示す説明図である。
【図５−３】図５−３は、オブジェクトの登録が完了した旨を伝える画像を表示する表示部を示す説明図である。
【図５−４】図５−４は、オブジェクトの登録が完了した際の待受画面を示す説明図である。
【図６−１】図６−１は、待受画面を表示部に表示させる際に制御部が実行する手順を示すフローチャートである。
【図６−２】図６−２は、入力部への操作の入力を待ち受ける際に制御部が実行する一連の手順を示すフローチャートである。
【図７】図７は、昼領域が拡大された待受画面を示す説明図である。
【図８】図８は、カーソルキー画像を含む分割領域を他の分割領域よりも拡大して表示する表示部を示す説明図である。
【発明を実施するための形態】
【００２１】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下の説明では、携帯端末装置として携帯電話機を例として説明するが、本発明の適用対象は携帯電話機に限定されるものではない。例えば、ＰＨＳ（Personal Handyphone System）、ＰＤＡ（Personal Digital Assistant）、ポータブルナビゲーション装置、ノートパソコン、ゲーム機等に対しても本発明を適用できる。
【００２２】
（実施形態）
図１は、携帯電話機の外観を示す斜視図である。図１に示す携帯電話機１は、筐体１０と、表示部１１と、マイク１２と、レシーバ１３と、入力部１５と、制御部３０とを備える。筐体１０は、例えば、１つの箱型で構成される。筐体１０は、いわゆるストレート型筐体である。なお、筐体１０は、例えば、第１筐体と第２筐体との２つを含んで構成されてもよい。この場合、筐体１０は、第１筐体が第２筐体に対してスライドする構成のスライド式筐体でもよいし、第１筐体が第２筐体に対して回動する折り畳み式の筐体でもよい。すなわち、筐体１０の構成は限定されない。
【００２３】
表示部１１と、マイク１２と、レシーバ１３と、入力部１５と、制御部３０とは、それぞれ、筐体１０に収納される。マイク１２と、レシーバ１３と、入力部１５と、表示部１１とは、それぞれ制御部３０と電気的に接続される。制御部３０は、ＣＰＵ（Central Processing Unit）を含んで構成され、携帯電話機１の全体的な動作を統括的に制御する装置である。表示部１１は、制御部３０から受け取った信号に基づいて画像を表示する。表示部１１は、待受画面や、その他の画面を表示する。
【００２４】
ここで、待受画面とは、電話の発着信を待ち受けている状態の画面、またはアプリケーションプログラムの起動を待ち受けている状態の画面である。換言すると、待受画面は、制御部３０が表示部１１に表示させる複数の機能画面へ画面が変わる前の画面である。機能画面は、携帯電話機１が有する機能をユーザーに提供するための画面である。携帯電話機１が有する機能は、例えば、他の携帯電話機器との通話機能や、メール送受信機能、携帯電話機１が備えるカメラによる撮像機能や、オーディオビジュアル機能などである。そして、ユーザーは、予め好みの画像や、時計等の状態表示を待受画面として設定している。
【００２５】
制御部３０は、自身（制御部３０）への電力の供給が開始された後や、スタンバイモードから復帰した際に表示部１１に待受画面を表示させる。なお、制御部３０は、自身（制御部３０）への電力の供給が開始されてから待受画面を表示するまでの間に、製造元の社章を表す画像や、起動用画像などの画像を含む起動画面を表示部１１に表示させることもある。そして、制御部３０は、待受画面を表示部１１に表示させている最中に、後述する入力部１５に機能画面への切替操作が入力されると、入力部１５に入力された切替操作に対応した機能画面へ待受画面から画面を切り替える。
【００２６】
マイク１２は、音声を電気信号に変換する。そして制御部３０が、電気信号に変換された音声をマイク１２から取得する。レシーバ１３は、それぞれ、制御部３０から出力された電気信号を音声に変換して出力する。入力部１５は、例えば、ボタンが筐体１０の外部に露出して設けられる。入力部１５は、携帯電話機１のユーザーによって操作される。入力部１５は、方向ボタン１５ａと、機能呼出部としての各種機能呼出ボタン１５ｂと、数値入力部としての数値入力ボタン１５ｃとを含む。方向ボタン１５ａは、表示部１１が表示するカーソルキーを動かすためのボタンである。各種機能呼出ボタン１５ｂは、メール送受信機能、携帯電話機１が備えるカメラによる撮像機能や、オーディオビジュアル機能などを呼び出すためのボタンである。数値入力ボタン１５ｃは、数値を入力するためのボタンである。数値入力ボタン１５ｃは、音声通話を開始する際に電話番号の入力で用いられる。制御部３０は、入力部１５からユーザーが入力した操作を取得する。
【００２７】
図２は、制御部が有する機能を示すブロック図である。制御部３０は、１つの装置が図２に示す各機能を実現してもよいし、図２に示す各機能をそれぞれ別個に実現する複数の装置が電気的に接続されることで各機能を実現してもよい。制御部３０は、記憶部３１と、通信部３２と、音声処理部３３と、表示制御部３４と、情報取得処理部３５と、主制御部３６との各機能を実現する。記憶部３１は、制御部３０が実行する一連の手順（コンピュータプログラム）を記憶したり、前記一連の手順の実行に必要な情報を記憶したりする。通信部３２は、他の電子機器との通信を実現する。具体的には、通信部３２は、ユーザーが作成したメールを送信したり、他の携帯電話機から送信されたメールを受信したり、音声通話用の音声データを送受信したりする。
【００２８】
音声処理部３３は、マイク１２から信号を取得すると共に、レシーバ１３に信号を出力する。具体的には、音声処理部３３は、マイク１２が電気信号に変換した音声データをマイク１２から取得する。また、音声処理部３３は、レシーバ１３へ信号を出力して、レシーバ１３に音声を出力させる。表示制御部３４は、表示部１１に表示させる画像を生成する。
【００２９】
図３は、待受画面を示す説明図である。図２に示す表示制御部３４が表示部１１に表示させる画像には、図３に示すように、待受画面として背景画像４１（いわゆる壁紙）と、オブジェクト画像４２と、カーソルキー画像４３とが含まれる。表示制御部３４は、図３に示すように、背景画像４１上に、オブジェクト画像４２及びカーソルキー画像４３を配置してこれらの画像を表示部１１に表示させる。オブジェクト画像４２は、アイコン画像４２ａのみで構成される場合と、アイコン画像４２ａ及びテキスト画像４２ｂで構成される場合とがある。
【００３０】
アイコン画像４２ａは、例えば、オブジェクトの種類を絵柄で表す画像である。テキスト画像４２ｂは、オブジェクトの概要をテキストで示す画像である。ここでいうオブジェクトとは、各種アプリケーションプログラムを実行するためのショートカット情報と、文字情報（メモ情報）とのうちの少なくとも一方が対応付けられたものである。このようなオブジェクトは、「ペタメモ（登録商標）」と呼ばれることがある。カーソルキー画像４３は、例えば、オブジェクト画像４２を囲うような枠の画像である。なお、カーソルキー画像４３は、複数のオブジェクト画像４２からあるオブジェクト画像４２を特定できるものであればよい。例えば、カーソルキー画像４３は、矢印の画像でもよい。
【００３１】
情報取得処理部３５は、入力部１５から信号を取得する。すなわち、情報取得処理部３５は、ユーザーが入力部１５に入力した操作を指令信号として取得する。主制御部３６は、記憶部３１から情報取得処理部３５の各部を統括すると共に、記憶部３１から情報取得処理部３５の各部とは異なる機能を実現する。例えば、主制御部３６は、記憶部３１に記憶されている一連の手順（コンピュータプログラム）を実行したり、前記一連の手順の実行に必要な演算をしたりする。
【００３２】
次に、オブジェクトの登録時に制御部３０が実行する一連の手順を説明する。図４は、オブジェクトの登録時に制御部が実行する一連の手順を示すフローチャートである。図５−１は、オブジェクトが登録される際に表示部が表示している画面を示す説明図である。図５−２は、質問画像を表示する表示部を示す説明図である。図５−３は、オブジェクトの登録が完了した旨を伝える画像を表示する表示部を示す説明図である。図５−４は、オブジェクトの登録が完了した際の待受画面を示す説明図である。
【００３３】
以下の説明では、一例として、受信したメールのテキスト情報をオブジェクトとして制御部３０が登録する場合を説明する。ステップＳＴ１０１を実行する際、表示部１１は、図５−１に示すように、受信したメールのリストを表示している。ステップＳＴ１０１で、情報取得処理部３５は、オブジェクトの登録を開始する操作が入力部１５に入力されたか否かを判定する。例えば、入力部１５にはオブジェクトを登録するためのボタンが含まれており、情報取得処理部３５は、そのボタンが押されたか否かを判定する。なお、前記ボタンは、オブジェクトを登録するための専用のボタンでもよいし、場合によっては他の機能が割り振られる汎用のボタンでもよい。オブジェクトの登録を開始する操作が入力部１５に入力されていないと情報取得処理部３５が判定すると（ステップＳＴ１０１、Ｎｏ）、制御部３０は、一連の手順の実行を終了する。
【００３４】
オブジェクトの登録を開始する操作が入力部１５に入力されたと情報取得処理部３５が判定すると（ステップＳＴ１０１、Ｙｅｓ）、制御部３０はステップＳＴ１０２へ進む。ステップＳＴ１０２で、表示制御部３４は、図５−２に示すように、オブジェクトを複数のグループのうちのどのグループに所属させて登録するかを問う質問画像を表示部１１に表示させる。本実施形態では、前記複数のグループは、例えば、朝グループと、昼グループと、夜グループとの３つである。表示制御部３４は、例えば、「どのグループに登録しますか？」のようなテキスト画像と、複数のグループのリストを示すテキスト画像とを質問画像として表示部１１に表示させる。ユーザーは、この質問画像を見て、入力部１５を操作する。
【００３５】
次に、ステップＳＴ１０３で、情報取得処理部３５は、入力部１５から信号を取得する。すなわち、情報取得処理部３５は、オブジェクトを複数のグループのうちのどのグループに所属させるかを指定する操作を入力部１５から取得する。
【００３６】
次に、ステップＳＴ１０４で、記憶部３１は、登録するオブジェクトの内容と、分類情報との２つを対応付けて記憶する。登録するオブジェクトの内容とは、例えばステップＳＴ１０１でオブジェクトの登録を開始する操作が入力部１５に入力された時点で表示部１１が表示していた内容に対応した内容である。例えば、この時点で表示部１１にテキスト情報（メモ情報）が表示されていた場合、オブジェクトの内容はこのテキスト情報になる。また、この時点で表示部１１にアプリケーションプログラムを起動するための画面が表示されていた場合、オブジェクトの内容はこのアプリケーションプログラムへのショートカットになる。分類情報は、複数のオブジェクトのうちの特定のオブジェクトが複数のグループのうちのどのグループに属するかを示す情報であり、ステップＳＴ１０３で入力された情報である。
【００３７】
次に、ステップＳＴ１０５で、表示制御部３４は、図５−３に示すように、オブジェクトの登録が完了した旨を伝えるテキスト画像４５を表示部１１に表示させる。テキスト画像４５は、例えば、「オブジェクトを朝グループに登録しました」のような画像である。なお、表示制御部３４は、このステップＳＴ１０５を省略してもよい。ステップＳＴ１０５を実行すると（ステップＳＴ１０５を省略した場合はステップＳＴ１０４を実行すると）、制御部３０は、一連の手順の実行を終了する。図４に示す一連の手順を制御部３０が実行することにより、表示部１１は、図５−４に示すように、登録されたオブジェクトをオブジェクト画像４２として待受画面４０上に表示できるようになる。
【００３８】
次に、表示部１１に待受画面４０を表示させる際に制御部３０が実行する一連の手順を説明する。図６−１は、待受画面を表示部に表示させる際に制御部が実行する手順を示すフローチャートである。ステップＳＴ２０１で、主制御部３６は、表示部１１に表示される待受画面４０の全領域を、図３に示すように、複数の分割領域５０に分割する。分割領域５０の数はあらかじめ設定された一定の数でもよいし、ユーザーが設定できる数でもよい。本実施形態では、主制御部３６は、例えば、３つの分割領域５０を設定する。
【００３９】
本実施形態では、３つの分割領域５０をそれぞれ朝領域５１と、昼領域５２と、夜領域５３とする。各分割領域５０には、時間枠が対応付けられる。例えば、朝領域５１は３時以降９時まで、昼領域５２は９時以降１７時まで、夜領域５３は１７時以降翌日の３時まで、のように時間枠が設定される。この時間枠は、一定でもよいし、ユーザーによって変更されてもよい。ユーザーによって変更された時間枠は、記憶部３１に記憶される。この場合、携帯電話機１は、時間枠をユーザーの所望する範囲に設定できる。
【００４０】
次に、ステップＳＴ２０２で、主制御部３６は、記憶部３１に記憶されている各オブジェクトに対応付けられた分類情報を記憶部３１から取得する。分類情報は、図４に示すステップＳＴ１０４で記憶部３１が記憶した情報であり、登録されているオブジェクトが複数のグループ（朝グループ、昼グループ、夜グループ）のうちのどのグループに属するかを示す情報である。朝グループは図３に示す朝領域５１に表示させるオブジェクトのグループであり、昼グループは昼領域５２に表示させるオブジェクトのグループであり、夜グループは夜領域５３に表示させるオブジェクトのグループである。各グループは、各分割領域５０と同様に時間枠が対応付けられる。
【００４１】
次に、ステップＳＴ２０３で、主制御部３６は、分類情報に基づいて図３に示すオブジェクト画像４２を各分割領域５０に分配する。例えば、あるオブジェクトが朝グループに属している場合、主制御部３６は、そのオブジェクトを表すオブジェクト画像４２を朝領域５１に配置するように設定する。なお、この時、主制御部３６は、オブジェクト画像４２の配置位置を設定するのみであり、表示部１１にオブジェクト画像４２を表示させているわけではない。
【００４２】
次に、ステップＳＴ２０４で、主制御部３６は、記憶部３１から時刻情報を取得する。時刻情報とは、携帯電話機１の内部時計での現在時刻を示す情報である。以下、携帯電話機１の内部時計での現在時刻を単に現在時刻という。主制御部３６は、図６−１に示す一連の手順が実行される度に、すなわち、表示部１１が待受画面４０を表示する度に、記憶部３１から時刻情報を取得する。
【００４３】
次に、ステップＳＴ２０５で、主制御部３６は、ステップＳＴ２０４で取得した時刻情報に基づいて、複数の分割領域５０のうち、前記時刻情報が示す現在時刻を含む時間枠が対応付けられた分割領域５０を拡大領域に設定する。拡大領域とは、他の分割領域５０よりも広い面積が確保された領域である。図３では、朝領域５１が拡大領域に該当する。例えば、現在時刻が６時１０分の場合、表示制御部３４は、図３に示すように、３時以降９時までの時間枠が対応付けられた朝領域５１を拡大領域に設定する。
【００４４】
次に、ステップＳＴ２０６で、主制御部３６は、複数の分割領域５０のうち、拡大領域に設定された分割領域５０に対応したグループに属するオブジェクトを、拡大オブジェクトに設定する。拡大オブジェクトとは、他のグループに属するオブジェクトよりも、表示サイズが大きいオブジェクトである。具体的には、主制御部３６は、ステップＳＴ２０４で取得した時刻情報に基づいて、複数のグループのうち、前記時刻情報が示す現在時刻を含む時間枠が対応付けられたグループを特定する。そして、主制御部３６は、その特定されたグループに属するオブジェクトを拡大オブジェクトに設定する。例えば、現在時刻が６時１０分の場合、表示制御部３４は、図３に示すように、３時以降９時までの時間枠が対応付けられた朝グループに属するオブジェクトを拡大オブジェクトに設定する。
【００４５】
本実施形態では、拡大オブジェクトを示すオブジェクト画像４２は、アイコン画像４２ａと、テキスト画像４２ｂとの両方を含んで構成される。一方、その他のオブジェクト画像４２は、アイコン画像４２ａのみで構成される。また、拡大領域に配置されるオブジェクト画像４２は、表示部１１の長手方向（縦方向）に並んで配置される。一方、他の分割領域５０に配置されるオブジェクト画像４２は、表示部１１の長手方向に直交する方向（横方向）につめて配置される。次に、ステップＳＴ２０７で、表示制御部３４は、図３に示すように、拡大領域（本実施形態では朝領域５１）の面積を他の分割領域５０の面積よりも広く確保すると共に、拡大領域に配置されるオブジェクト画像４２を他のオブジェクト画像４２よりも大きくして待受画面４０を表示部１１に表示させる。
【００４６】
図７は、昼領域が拡大された待受画面を示す説明図である。例えば、現在時刻が１２時３０分である場合、主制御部３６は、図６−１に示すステップＳＴ２０５で昼領域５２を拡大領域に設定する。また、ステップＳＴ２０６で、昼グループに属するオブジェクトを拡大オブジェクトに設定する。そして、表示制御部３４は、図７に示すように、昼領域５２の面積を他の分割領域５０の面積よりも広く確保すると共に、昼領域５２に配置されるオブジェクト画像４２を他のオブジェクト画像４２よりも大きくして待受画面４０を表示部１１に表示させる。ステップＳＴ２０７を実行すると、制御部３０は、待受画面４０を表示するための一連の手順の実行を終了する。
【００４７】
続いて、制御部３０は、待受画面４０を表示部１１に表示させている間に、以下に説明する一連の手順を実行する。図６−２は、入力部への操作の入力を待ち受ける際に制御部が実行する一連の手順を示すフローチャートである。ステップＳＴ２０８で、情報取得処理部３５は、方向ボタン１５ａに操作が入力されたか否かを判定する。方向ボタン１５ａに操作が入力されたと情報取得処理部３５が判定すると（ステップＳＴ２０８、Ｙｅｓ）、制御部３０は、ステップＳＴ２０９へ進む。ステップＳＴ２０９で、表示制御部３４は、情報取得処理部３５が取得した信号に基づいて、表示部１１に表示されているカーソルキー画像４３の位置を移動させる。例えば、方向ボタン１５ａの下ボタンが押された場合、表示制御部３４は、表示部１１の長手方向に沿って下側（ユーザー側）に向かってカーソルキー画像４３を移動させる。ここで、制御部３０は、方向ボタン１５ａへ入力された操作によって、カーソルキー画像４３をカーソルキー画像４３が含まれる分割領域５０内のみで移動させてもよいし、カーソルキー画像４３を含まない分割領域５０へもカーソルキー画像４３を移動できるようにしてもよい。
【００４８】
方向ボタン１５ａへ入力された操作によって、カーソルキー画像４３をカーソルキー画像４３が含まれる分割領域５０内のみで移動させる場合、制御部３０は、例えばカーソルキー画像４３を以下のように移動させる。図３に示す場合、表示制御部３４は、朝領域５１の最も下側（ユーザー側）のオブジェクト画像４２にカーソルキー画像４３があるときに、方向ボタン１５ａの下ボタンが押されると、朝領域５１の最も上側のオブジェクト画像４２にカーソルキー画像４３を移動させる。すなわち、制御部３０は、朝領域５１内でカーソルキー画像４３をローテーションさせる。なお、この態様の場合、例えば、表示制御部３４は、方向ボタン１５ａの下ボタン以外のボタンであって、カーソルキー画像４３を今の分割領域５０とは別の分割領域５０へ移動させるためのボタンが押されると、カーソルキー画像４３を含まない分割領域５０へカーソルキー画像４３を移動させるようにしてもよい。
【００４９】
一方、方向ボタン１５ａへ入力された操作によって、カーソルキー画像４３を含まない分割領域５０へもカーソルキー画像４３を移動させる場合、制御部３０は、例えばカーソルキー画像４３を以下のように移動させる。朝領域５１の最も下側（ユーザー側）のオブジェクト画像４２にカーソルキー画像４３があるときに、方向ボタン１５ａの下ボタンが押されると、制御部３０は、昼領域５２の最も上側のオブジェクト画像４２にカーソルキー画像４３を移動させる。
【００５０】
図８は、カーソルキー画像を含む分割領域を他の分割領域よりも拡大して表示する表示部を示す説明図である。次に、ステップＳＴ２１０で、表示制御部３４は、図８に示すように、カーソルキー画像４３を含む分割領域５０（図８では夜領域５３）を拡大領域として他の分割領域５０よりも拡大して表示部１１に表示させる。また、表示制御部３４は、カーソルキー画像４３を含む分割領域５０に配置されるオブジェクト画像４２を、他の分割領域５０に配置されるオブジェクト画像４２よりも拡大して表示部１１に表示させる。すなわち、表示制御部３４は、カーソルキー画像４３を含む分割領域５０に配置されるオブジェクト画像４２を、アイコン画像４２ａとテキスト画像４２ｂとの２つの画像で表示部１１に表示させる。ステップＳＴ２１０を実行すると、制御部３０は、ステップＳＴ２０８へ戻る。
【００５１】
ステップＳＴ２０８で、方向ボタン１５ａに操作が入力されていないと情報取得処理部３５が判定すると（ステップＳＴ２０８、Ｎｏ）、制御部３０は、ステップＳＴ２１１へ進む。ステップＳＴ２１１で、情報取得処理部３５は、各種機能呼出ボタン１５ｂに操作が入力されたか否かを判定する。各種機能呼出ボタン１５ｂに操作が入力されたと情報取得処理部３５が判定すると（ステップＳＴ２１１、Ｙｅｓ）、制御部３０は、ステップＳＴ２１２へ進む。ステップＳＴ２１２で、制御部３０は、ステップＳＴ２１１で押された各種機能呼出ボタン１５ｂに対応する機能を実現する。
【００５２】
例えば、各種機能呼出ボタン１５ｂとしてメールボタンが押されると、制御部３０は、電子メール機能を実現する。すなわち、表示制御部３４は、メールの作成画面を表示部１１に表示させる。そして、表示制御部３４は、入力部１５に入力された操作通りに、入力されたテキストに対応するテキスト画像を表示部１１に表示させる。次に、メール送信ボタンが押されたら、通信部３２がメールを送信する。ステップＳＴ２１２を実行すると、制御部３０は一連の手順の実行を終了する。
【００５３】
各種機能呼出ボタン１５ｂに操作が入力されていないと情報取得処理部３５が判定すると（ステップＳＴ２１１、Ｎｏ）、制御部３０は、ステップＳＴ２１３へ進む。次に、ステップＳＴ２１３で、情報取得処理部３５は、数値入力ボタン１５ｃに操作が入力されたか否かを判定する。数値入力ボタン１５ｃに操作が入力されていないと情報取得処理部３５が判定すると（ステップＳＴ２１３、Ｎｏ）、制御部３０は、ステップＳＴ２０８へ戻る。数値入力ボタン１５ｃに操作が入力されたと情報取得処理部３５が判定すると（ステップＳＴ２１３、Ｙｅｓ）、制御部３０は、ステップＳＴ２１４へ進む。  ステップＳＴ２１４で、表示制御部３４は、入力部１５に入力された操作通りに数字のテキスト画像を表示部１１に表示させる。この状態で、通話開始ボタンが押されたら、通信部３２は、音声通話を開始する。ステップＳＴ２１４を実行すると、制御部３０は、一連の手順の実行を終了する。
【００５４】
上記構成により、携帯電話機１は、待受画面４０上に表示されるオブジェクトであってショートカット情報と文字情報との少なくとも一方を含むオブジェクトと、オブジェクトを分類するためのグループの情報（分類情報）との２つを記憶部３１が記憶し、待受画面４０の領域がグループ別に分割されることで構成される複数の分割領域５０を制御部３０が設定すると共に、オブジェクトが属するグループに対応した分割領域５０にオブジェクトを制御部３０が表示させることになる。これにより、携帯電話機１は、複数のオブジェクト画像４２を複数の分割領域５０に分類して表示部１１に表示させることができる。よって、携帯電話機１は、待受画面４０上に見やすくオブジェクト画像４２を表示できる。
【００５５】
ここで、本実施形態では、制御部３０は、待受画面４０を表示部１１に表示させる際に、オブジェクトの表示サイズをグループ毎に変えることと、分割領域５０の大きさの比率を複数の分割領域５０毎に変えることとの両方の手順を実行した。しかしながら、制御部３０は、上述の２つの手順のうちの少なくとも一方を実行すればよい。これにより、携帯電話機１は、例えば、重要度の低い分割領域に配置されるオブジェクトの表示サイズを、重要度の高い分割領域に配置されるオブジェクトの表示サイズよりも小さくできる。また、携帯電話機１は、例えば、重要度の低い分割領域を、重要度の高い分割領域よりも小さくできる。以上により、携帯電話機１は、待受画面４０上に見やすくオブジェクト画像４２を表示できる。
【００５６】
また、携帯電話機１は、記憶部３１が分割領域５０それぞれに時間枠を対応付けて記憶し、制御部３０が時刻情報を取得すると共に、取得した時刻情報が含まれる時間枠の分割領域５０を他の時間枠の分割領域５０よりも大きく表示させる。時刻情報が含まれる時間枠の分割領域５０は、上述の重要度の高い分割領域に該当する傾向がある。これにより、携帯電話機１は、ユーザーが各分割領域の重要度を指定する必要がなくなる。携帯電話機１は、現在時刻に関係が深いオブジェクトを強調して表示部１１に表示することになる。よって、携帯電話機１は、待受画面４０上に見やすくオブジェクト画像４２を表示できる。
【００５７】
また、携帯電話機１は、記憶部３１がグループに時間枠を対応付けて記憶し、制御部３０が時刻情報を取得すると共に、取得した時刻情報が含まれる時間枠に対応付けられたグループに属するオブジェクトを他のグループに属するオブジェクトよりも大きく表示させる。時刻情報が含まれる時間枠のグループは、上述の重要度の高いグループに該当する傾向がある。これにより、携帯電話機１は、ユーザーがグループの重要度を指定する作業を省略できる。そして、携帯電話機１は、現在時刻に関係が深いオブジェクトを強調して表示部１１に表示することになる。よって、携帯電話機１は、待受画面４０上に見やすくオブジェクト画像４２を表示できる。
【００５８】
また、制御部３０は、表示部１１に待受画面４０を表示させる毎に、時刻情報を取得する。これにより、携帯電話機１は、待受画面４０を表示部１１に表示させる度に、他の分割領域５０よりも拡大して表示する分割領域５０を更新すると共に、他のオブジェクト画像４２よりも表示サイズを拡大して表示するオブジェクト画像４２を更新できる。
【００５９】
また、制御部３０は、アイコン画像４２ａと、文字情報の少なくとも一部を表すテキスト画像４２ｂと、の両方を表示部１１に表示させる。これにより、表示部１１は、オブジェクトの表示サイズを他のグループに属するオブジェクトの表示サイズよりも大きく表示できる。また、制御部３０は、アイコン画像４２ａのみを表示部１１に表示させることもできる。これにより、表示部１１は、オブジェクトの表示サイズを他のグループに属するオブジェクトの表示サイズよりも小さく表示できる。
【００６０】
また、制御部３０は、入力部１５に入力された操作に基づいて、表示部１１に表示されたオブジェクトのうち選択されたオブジェクトを示すカーソルキーを移動させ、選択されたオブジェクトを含んでいる分割領域５０を、他の分割領域５０よりも大きく表示させる。これにより、携帯電話機１は、ユーザーが詳細の表示を希望するオブジェクトを含む分割領域５０を他の分割領域５０よりも拡大して表示できる。結果として、携帯電話機１は、待受画面４０上に見やすくオブジェクト画像４２を表示できる。
【００６１】
また、制御部３０は、表示部１１が待受画面４０を表示している間に数値入力ボタン１５ｃが操作されたことを検出したら、表示部１１に表示させる画面を待受画面４０から入力された数値を表示させる画面に切り替える。さらに、制御部３０は、数値を表示させる画面として、数値入力ボタン１５ｃによって入力された数値を電話番号として表示させ、発信操作が入力されたら、通信部３２により入力された電話番号に対する発信処理を行う。これにより、携帯電話機１は、音声通話機能をユーザーに提供できる。
【００６２】
また、制御部３０は、表示部１１が待受画面４０を表示している間に各種機能呼出ボタン１５ｂが操作されると、表示部１１に表示させる画面を待受画面４０から各種機能呼出ボタン１５ｂに対応付けされた機能の画面に切り替える。これにより、携帯電話機１は、携帯電話機１が有する各種機能をユーザーに提供できる。
【００６３】
ここで、本実施形態では、オブジェクトを分類するための複数のグループは、朝グループと、昼グループと、夜グループとである。すなわち、本実施形態では、制御部３０は、一日を時間で分割して各グループを設定している。しかしながら、制御部３０は、例えば、一週間を曜日で分割して各グループを設定してもよい。この場合、表示部１１は、各曜日に対応した分割領域５０を待受画面４０に設ける。また、制御部３０は、一週間を平日と休日とで分割して各グループを設定してもよい。この場合、表示部１１は、平日に対応した分割領域５０と、休日に対応した分割領域５０と、を待受画面４０に設ける。
【００６４】
このように、制御部３０は、時間軸において繰り返される法則に基づいて、待受画面４０に複数の分割領域５０を設定すると共に、各分割領域５０に対応したグループを設定する。これにより、携帯電話機１は、ユーザーにとって習慣となるような事柄のオブジェクト画像４２を、待受画面４０上にグループ分けして表示させることができる。また、携帯電話機１は、その時に重要なオブジェクト画像４２を優先的に目立つように待受画面４０上に表示できる。よって、携帯電話機１は、待受画面４０上に見やすくオブジェクト画像４２を表示できる。
【００６５】
さらに、制御部３０は、１つのオブジェクトを複数のグループに属するように設定してもよい。この場合、表示制御部３４は、図５−２に示す画面で、複数のグループを選択できるようにする。表示制御部３４は、オブジェクトが２つのグループに属する場合、拡大領域のみにオブジェクト画像４２を表示させる。例えば、現在時刻が３時以降９時までの時刻である場合、表示制御部３４は、時間枠が７時から１２時に設定されたオブジェクト画像４２を朝領域５１のみに表示させる。そして、現在時刻が９時以降の時刻となると、表示制御部３４は、オブジェクト画像４２を昼領域５２のみに表示させる。
【００６６】
また、制御部３０は、登録するオブジェクト別に、ユーザーが時間枠を設定できるようにしてもよい。具体的には、表示制御部３４は、まず、図５−２に示す画面に替えて、「オブジェクトに時間枠を設定してください」のようなテキスト画像を表示部１１に表示させる。ユーザーは、この画像を見て入力部１５に時間枠を設定するための操作を入力する。そして、情報取得処理部３５が、入力部１５から信号を取得し、その信号に基づいてオブジェクトに時間枠を対応付ける。
【００６７】
この場合、主制御部３６は、この時間枠に基づいて、そのオブジェクトを各グループに分配する。例えば、オブジェクトの時間枠が７時から１２時であるとする。この場合、主制御部３６は、オブジェクトを朝グループと、昼グループとの両方に分配する。これにより、表示制御部３４は、登録されたオブジェクトに対応するオブジェクト画像４２を、朝領域５１と昼領域５２との両方に表示させる。以上により、携帯電話機１は、より好適に待受画面４０上に見やすくオブジェクト画像４２を表示できる。
【００６８】
また、制御部３０は、各グループの時間枠を、一部重なるように設定できてもよい。例えば、制御部３０は、朝グループを３時以降１０時まで、昼グループを９時以降１８時まで、夜グループを１７時以降３時まで、というように各グループの時間枠を設定できてもよい。この場合、現在時刻が２つの時間枠に含まれると、制御部３０は、現在時刻を含む２つの分割領域５０を拡大領域としたり、現在時刻を含む２つのグループに属するオブジェクトを拡大オブジェクトにしたりする。
【００６９】
また、表示制御部３４は、待受画面４０の複数の分割領域５０の順番を入れ替えてもよい。表示制御部３４は、例えば、現在時刻を含む時間枠に対応した分割領域５０を、画面の中央に配置する。例えば、現在時刻が７時である場合、表示制御部３４は、朝領域５１を画面の中央に配置する。すなわち、表示制御部３４は、昼領域５２と夜領域５３との間に、朝領域５１を配置する。また、例えば、現在時刻が１７時以降になると、表示制御部３４は、朝領域５１と昼領域５２との間に夜領域５３を配置する。
【００７０】
これにより、携帯電話機１は、現在時刻を含む時間枠に対応した分割領域５０を、画面の中央に配置して強調できる。結果として、携帯電話機１は、待受画面４０上に見やすくオブジェクト画像４２を表示できる。なお、時系列通りに分割領域５０が並べられた配置を好むユーザーもいる。この場合、携帯電話機１は、朝領域５１、昼領域５２、夜領域５３の順（夜領域５３が最もユーザー側）で分割領域５０を並べて配置する方がよい。よって、制御部３０は、複数の分割領域５０の並べ方をユーザーが設定できるように構成されると好ましい。これにより、携帯電話機１は、より好適に待受画面４０上に見やすくオブジェクト画像４２を表示できる。
【産業上の利用可能性】
【００７１】
以上のように、本発明に係る携帯端末装置は、待受画面にオブジェクト画像を表示する携帯端末装置に有用であり、特に、待受画面が見にくくなるおそれを低減することに適している。
【符号の説明】
【００７２】
１  携帯電話機
１０  筐体
１１  表示部
１２  マイク
１３  レシーバ
１５  入力部
１５ａ  方向ボタン
１５ｂ  各種機能呼出ボタン
１５ｃ  数値入力ボタン
３０  制御部
３１  記憶部
３２  通信部
３３  音声処理部
３４  表示制御部
３５  情報取得処理部
３６  主制御部
４０  待受画面
４１  背景画像
４２  オブジェクト画像
４２ａ  アイコン画像
４２ｂ  テキスト画像
４３  カーソルキー画像
５０  分割領域
５１  朝領域
５２  昼領域
５３  夜領域
【図１】
0005606746.tif 000002
【図２】
0005606746.tif 000003
【図３】
0005606746.tif 000004
【図４】
0005606746.tif 000005
【図５−１】
0005606746.tif 000006
【図５−２】
0005606746.tif 000007
【図５−３】
0005606746.tif 000008
【図５−４】
0005606746.tif 000009
【図６−１】
0005606746.tif 000010
【図６−２】
0005606746.tif 000011
【図７】
0005606746.tif 000012
【図８】
0005606746.tif 000013